(57)【要約】【課題】複雑な構成を必要とせずに、記録映像にタイトル等を簡単に合成して記録することが可能な映像記録再生装置を提供する。【解決手段】ディスク１に記録する映像に付加するタイトルや図形のＯＳＤパターンをテレビモニタ８の画面上で入力し、入力されたＯＳＤパターンを信号処理部３でサブピクチャ用のパターンに変換する。変換されたパターンは記憶部１０のパターンメモリ１１ｂに格納される。ディスク１への映像記録時に、パターンメモリ１１ｂから読み出されたパターンを所定のタイミングで記録映像に合成し、合成された映像およびパターンをディスク読取書込部２によりディスク１に記録する。【選択図】    図１
2005064619.tif 000002
【特許請求の範囲】
【請求項１】
主映像信号を記録するビデオパックと、音声信号を記録するオーディオパックと、副映像信号を記録するサブピクチャパックの各記録領域を備えた記録型ＤＶＤに各データを記録するとともに、当該ＤＶＤに記録されている各データを読み出して再生する映像記録再生装置において、
前記ＤＶＤに記録する映像に付加する文字および／または図形のＯＳＤパターンを入力する入力手段と、
前記入力手段により入力されたＯＳＤパターンを一時的に格納するバッファと、
前記バッファに格納されたＯＳＤパターンをランレングス圧縮処理してサブピクチャ用のパターンに変換する変換手段と、
前記変換手段により変換されたパターンを記憶するパターンメモリと、
前記パターンメモリに記憶されているパターンの中から所定のパターンを選択する選択手段と、
ＤＶＤへの映像記録時に、前記選択手段で選択されたパターンを記録映像に付加するタイミングを指定する指定手段と、
前記指定手段により指定されたタイミングにおいて、記録映像と前記選択されたパターンとを合成する合成手段と、
前記合成手段で合成された映像およびパターンを、それぞれＤＶＤのビデオパックおよびサブピクチャパックの各領域に記録する記録手段と、
を備えたことを特徴とする映像記録再生装置。
【請求項２】
映像をディスクに記録するとともに、当該ディスクに記録されている映像を読み出して再生する映像記録再生装置において、
ディスクに記録する映像に付加する文字および／または図形のＯＳＤパターンを入力する入力手段と、
前記入力手段により入力されたＯＳＤパターンをサブピクチャ用のパターンに変換する変換手段と、
前記変換手段により変換されたパターンを記憶する記憶手段と、
ディスクへの映像記録時に、前記記憶手段から読み出されたパターンを所定のタイミングで記録映像に合成する合成手段と、
前記合成手段で合成された映像およびパターンをディスクに記録する記録手段と、
を備えたことを特徴とする映像記録再生装置。
【請求項３】
請求項２に記載の映像記録再生装置において、
ディスクへの映像記録時に、前記記憶手段から読み出されたパターンを記録映像に付加するタイミングを指定する指定手段を設けたことを特徴とする映像記録再生装置。
【請求項４】
請求項３に記載の映像記録再生装置において、
前記指定手段は、記録映像に付加されるパターンの開始時点および終了時点の指定が可能であることを特徴とする映像記録再生装置。
【請求項５】
請求項２ないし請求項４のいずれかに記載の映像記録再生装置において、
前記記憶手段には、前記入力手段により入力された複数のパターンが記憶され、当該複数のパターンの中から所定のパターンを選択する選択手段を設けたことを特徴とする映像記録再生装置。
【請求項６】
請求項５に記載の映像記録再生装置において、
前記選択手段は、モニタ画面上に表示されるパターンメニューと、選択したパターンメニューに対応するパターンを表示するパターン表示部とを含むことを特徴とする映像記録再生装置。
【請求項７】
請求項５または請求項６に記載の映像記録再生装置において、
複数の異なるパターンを同じタイミングで記録映像に付加し、再生時にいずれかのパターンが表示されるようにしたことを特徴とする映像記録再生装置。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｋ）レコーダのような映像記録再生装置に関するものである。
【０００２】
【従来の技術】
ＤＶＤ−ＲＡＭやＤＶＤ−ＲＷなどの光ディスクには、映像や音声を記録することが可能であり、最近では、このような記録型の光ディスクに対応したＤＶＤレコーダのような映像記録再生装置が実用化されている。例えばＤＶＤレコーダでは、映画などを収録したディスクの再生機能に加えて、テレビ番組の映像やデジタルビデオカメラ等で撮影した映像をディスクに記録する機能が備わっている。
【０００３】
ところで、ディスクに映像を記録する場合、映像とともに自分で作成した任意のタイトルを挿入できれば便利である。映像に所定の画像を付加して記録することは従来から公知であり、例えば下記の特許文献１には、撮像した映像に日付等の付加画像を合成して記録媒体に記録するようにしたデジタルカメラが記載されている。しかし、この特許文献１のものでは、付加画像の位置や大きさを変更できるようにはなっているが、付加画像そのものをユーザが任意に設定することはできない。したがって、特許文献１の技術では、ディスクに記録する映像に任意のタイトルを挿入するという機能を実現することは不可能である。また、本文献では、付加画像とは別に、メニュー選択画面や数値設定画面等を含むＯＳＤ（Ｏｎ  Ｓｃｒｅｅｎ  Ｄｉｓｐｌａｙ）画像を用意し、このＯＳＤ画像の画面上での操作に基づいて付加画像の表示状態を変化させるようにしているため、付加画像生成手段とＯＳＤ画像生成手段とが必要となり、回路構成が複雑となってコスト高になる。一方、下記の特許文献２にも実写映像にタイトルを重ね合せる技術が開示されているが、本文献におけるタイトルの画像は、タイトルが描かれた原稿をビデオカメラで撮影して得られる画像である。したがって、このような方式では、タイトル画の原稿を作成してカメラで撮影するという煩雑な手順を経る必要があり、ユーザが簡単にタイトルを挿入することはできない。
【０００４】
【特許文献１】
特開２００１−３５８９３４号公報
【特許文献２】
特開２０００−１３４５７６号公報
【０００５】
【発明が解決しようとする課題】
本発明は、上述した問題点を解決するものであって、その課題とするところは、複雑な構成を必要とせずに、記録映像にタイトル等を簡単に合成して記録することが可能な映像記録再生装置を提供することにある。
【０００６】
【課題を解決するための手段】
本発明は、映像をディスクに記録するとともに、当該ディスクに記録されている映像を読み出して再生する映像記録再生装置において、ディスクに記録する映像に付加する文字および／または図形のＯＳＤ（Ｏｎ  Ｓｃｒｅｅｎ  Ｄｉｓｐｌａｙ）パターンを入力する入力手段と、この入力手段により入力されたＯＳＤパターンをサブピクチャ用のパターンに変換する変換手段と、この変換手段により変換されたパターンを記憶する記憶手段と、ディスクへの映像記録時に、記憶手段から読み出されたパターンを所定のタイミングで記録映像に合成する合成手段と、この合成手段で合成された映像およびパターンをディスクに記録する記録手段とを備える。
【０００７】
本発明においては、文字や図形のパターンをＯＳＤパターンとして生成し、これをサブピクチャ用のパターンに変換して記録映像と合成し、ディスクに記録するようにしているため、ユーザはＯＳＤの画面において任意のタイトル等を簡単に入力することができる。また、入力したパターンをサブピクチャ用のデータに変換するだけで、パターンをそのままディスクに記録することができるため、信号処理も簡単で済む。さらに、ＤＶＤレコーダ等に備わっているＯＳＤ機能をそのまま利用することができ、パターン生成のための特別なハードウェアを追加する必要がないので、従来に比べて回路構成が複雑化することがなく、コストアップを抑制して安価に実現することができる。
【０００８】
また、本発明においては、ディスクへの映像記録時に、記憶手段から読み出されたパターンを記録映像に付加するタイミングを指定する指定手段が設けられる。これによると、記録する映像の途中でパターンを挿入したい場合でも、ユーザが希望する任意のタイミングで記録映像にパターンを付加することができる。この場合、付加されるパターンの開始時点および終了時点の指定を可能とすることで、パターンを付加する区間を任意に設定することができる。
【０００９】
また、本発明においては、入力手段により入力された複数のパターンが記憶手段に記憶され、これらのパターンの中から所定のパターンを選択するための選択手段が設けられる。これによると、あらかじめ複数のパターンを作成しておき、映像を記録する際にパターンを選択するだけで所望のパターンを映像に付加することができる。
【００１０】
また、本発明においては、上記選択手段は、モニタ画面上に表示されるパターンメニューと、選択したパターンメニューに対応するパターンを表示するパターン表示部とを含む。これによると、モニタ画面において、パターン表示部に表示されるパターンを確認しながらパターンメニューを選択することで、簡単かつ確実にパターンの選択を行うことができる。
【００１１】
さらに、本発明においては、複数の異なるパターンが同じタイミングで記録映像に付加され、再生時にいずれかのパターンが表示されるようにしてもよい。これによると、同じ映像に付加するパターンであっても、例えば友人用と家族用とで区別したタイトル等を挿入することが可能となる。
【００１２】
【発明の実施の形態】
以下、本発明をＤＶＤレコーダに適用した場合の実施形態につき説明する。図１は、ＤＶＤレコーダの一例を示したブロック図である。図において、１はＤＶＤ−ＲＡＭやＤＶＤ−ＲＷなどの記録型光ディスク（以下、単に「ディスク」という）、２はディスク１に記録されている情報を読み取り、またディスク１に情報を書き込むディスク読取書込部である。ディスク読取書込部２は光ピックアップ等から構成されている。３は、ディスク読取書込部２がディスク１から読み取った信号あるいはディスク１に書き込む信号を処理する信号処理部で、デコーダを含む再生回路やエンコーダを含む記録回路等から構成される。４は、ディスク１を駆動するディスク駆動部で、スピンドルモータやその駆動回路等から構成される。５は、ＤＶＤレコーダ全体の制御を行う制御部で、ＣＰＵを搭載したマイクロコンピュータから構成される。６は放送電波から所定周波数の信号を抽出するチューナ、７は放送電波を受信するアンテナである。８はＤＶＤレコーダに外付けされるテレビモニタであって、液晶ディスプレイやＣＲＴディスプレイなどから構成される。
【００１３】
信号処理部３には、チューナ６で選局された映像信号および音声信号が入力されるとともに、デジタルビデオカメラ等の外部機器からの映像信号および音声信号が入力される。信号処理部３で再生された映像はテレビモニタ８に表示され、信号処理部３で再生された音声は図示しないスピーカから出力される。一方、ディスク１の再生時には、ディスク１に記録されている情報がディスク読取書込部２で読み取られて信号処理部３に送られ、信号処理部３で再生された映像はテレビモニタ８に表示され、信号処理部３で再生された音声は図示しないスピーカから出力される。また、チューナ６で受信した映像信号および音声信号や、外部機器からの映像信号および音声信号をディスク１に記録する場合には、信号処理部３で処理された各信号がディスク読取書込部２によりディスク１に記録される。
【００１４】
９はＤＶＤレコーダ本体のフロントパネルに設けられている操作部であって、ディスク１の再生・記録・停止・早送り・早戻し等の各種動作を行わせるためのキーや電源スイッチなどから構成される。１０はＲＯＭやＲＡＭ等のメモリから構成される記憶部であって、この記憶部１０は、ＯＳＤバッファ１１ａおよびパターンメモリ１１ｂを有している。ＯＳＤバッファ１１ａには、後述するＯＳＤパターンが一時的に格納され、パターンメモリ１１ｂには後述するサブピクチャ用のパターンが記憶される。１２はリモコン１３からの赤外線信号を受信するリモコン受信部、１４はディスクの状態や時間等が表示される蛍光表示管等からなる表示部で、これらのリモコン受信部１２および表示部１４も、操作部９と同様に、ＤＶＤレコーダ本体のフロントパネルに設けられている。なお、リモコン１３には、操作部９と同様にディスク１に各種動作を行わせるためのキーや電源スイッチが設けられているとともに、記録映像に付加するパターン（後述）の入力や選択を行うためのキーが設けられている。
【００１５】
以上の構成において、操作部９またはリモコン１３は本発明の入力手段、選択手段および指定手段を構成し、信号処理部３および制御部５は本発明の変換手段を構成し、ディスク読取書込部２は本発明の記録手段を構成している。
【００１６】
図２は、記憶部１０のＯＳＤバッファ１１ａおよびパターンメモリ１１ｂの内容を示したテーブルである。ＯＳＤバッファ１１ａには、図２（ａ）に示すように、記録映像に付加する文字や図形のＯＳＤパターンが一時的に格納される。本実施形態では、ＯＳＤバッファ１１ａは、複数のパターンを格納する領域を備えている。また、パターンメモリ１１ｂには、図２（ｂ）に示すように、ＯＳＤバッファ１１ａのＯＳＤパターンをＤＶＤフォーマットのサブピクチャデータに変換したパターンが記憶される。このパターンメモリ１１ｂも、複数のパターンを格納する領域を備えている。
【００１７】
図３は、記録映像に文字や図形のパターンを付加する回路の例を示しており、この回路は信号処理部３（図１）の一部をなしている。２１はエンコーダであって、このエンコーダ２１により、チューナ６あるいは外部機器から出力される映像信号および音声信号は、ＤＶＤの記録フォーマットに合致する信号に変換され、映像ストリームおよび音声ストリームとして出力される。２２は本発明の合成手段を構成する合成部であって、この合成部２２において、エンコーダ２１から出力された映像・音声ストリームに、前述したパターンメモリ１１ｂから読み出された文字や図形のパターンがサブピクチャストリームとして合成され、その合成出力がディスク読取書込部２へ出力される。パターンの作成や合成の詳細については後述する。
【００１８】
図４は、ディスク１に記録されるＤＶＤフォーマットのデータ構造を階層的に示した図である。図４（ａ）はディスク１のボリューム空間を表しており、ボリューム空間はボリューム及びファイル構成ゾーンと、ＤＶＤビデオゾーンと、その他のゾーンとから構成される。ＤＶＤビデオゾーンは、図４（ｂ）に示すように、ビデオマネージャＶＭＧと、ビデオタイトルセットＶＴＳ＃１〜ＶＴＳ＃ｎからなる。ビデオマネージャＶＭＧは、全ビデオタイトルセットの内容を表すテーブルであって、ビデオマネージャ・インフォメーションＶＭＧＩと呼ばれる制御データと、ＶＭＧメニュー表示用のビデオオブジェクトセットと、バックアップ用の制御データとで構成される。ビデオタイトルセットＶＴＳ（＃１〜＃ｎ）はタイトルの集合であって、各ＶＴＳは、図４（ｃ）に示すように、ビデオタイトルセット・インフォメーションＶＴＳＩと呼ばれる制御データと、ＶＴＳメニュー表示のためのメニュー用ビデオオブジェクトセットＶＯＢＳと、映像を表示するための映像用ビデオオブジェクトセットＶＯＢＳと、バックアップ用の制御データとで構成される。
【００１９】
ビデオタイトルセットＶＴＳの映像用ビデオオブジェクトセットＶＯＢＳは、図４（ｄ）に示すように複数のセル（Ｃｅｌｌ）から構成される。セルは再生されるコンテンツの基本単位となるものであり、映像の切換はこのセル単位で行なわれる。また、各セルは図４（ｅ）に示すように、複数のビデオオブジェクトユニットＶＯＢＵから構成される。そして、各ビデオオブジェクトユニットＶＯＢＵは、図４（ｆ）に示すように、ナビゲーションパックＮＰ、ビデオパックＶＰ、オーディオパックＡＰ、サブピクチャパックＳＰから構成される。それぞれのパックは、１つである場合もあるし、複数である場合もある。
【００２０】
ナビゲーションパックＮＰは、ビデオオブジェクトユニットＶＯＢＵの先頭に置かれ、主として所属するＶＯＢＵ内のデータの再生表示制御やデータ検索を行なうための制御データとして用いられる。ビデオパックＶＰは、映像信号をＭＰＥＧ規格に従って圧縮した主映像データである。オーディオパックＡＰは、音声信号をＰＣＭ方式等により処理した音声データである。サブピクチャパックＳＰは字幕などの信号をランレングス圧縮処理した副映像データである。本発明では、ＯＳＤ画像として作成した文字や図形のパターンを、ランレングス圧縮によりサブピクチャ用のデータに変換し、これをサブピクチャパックＳＰに記録する。なお、サブピクチャパックＳＰには、タイムコードや制御情報も含まれている。
【００２１】
次に、以上の構成からなるＤＶＤレコーダにおいて、ディスク１に記録する映像に文字や図形のパターンを付加する手順につき説明する。まず、録画を行うに先立って、付加するパターンをあらかじめ作成してパターンメモリ１１ｂに保存しておく。パターンの作成にあたっては、最初にテレビモニタ８に例えば図５に示すようなパターン作成画面８ａを表示させる。このパターン作成画面８ａは、ＯＳＤ画像として表示されるものであり、このＯＳＤ画像データは記憶部１０に格納されている（図示省略）。以下の画面８ｂ〜８ｄについても同様である。次に、表示されたパターン作成画面８ａにおいて、作成するパターンの種類を選択する。ここでは、文字パターン用のキー５１と図形パターン用のキー５２とが表示されており、いずれかのキーをリモコン１３の操作により選択する。
【００２２】
いま、文字でタイトルを作成するために、文字パターン用のキー５１が選択されたとすると、テレビモニタ８の画面は、例えば図６に示すような文字パターン作成画面８ｂに切り替わる。この画面８ｂには、文字が入力される文字入力部５３が設けられており、リモコン１３の所定のキーを操作することにより、文字入力部５３にはタイトルとなる文字列が入力される。なお、文字の入力にあたっては、リモコン１３に代えて小型キーボード（図示省略）を用いてもよい。入力された文字列はＯＳＤ画像として、図２（ａ）に示したＯＳＤバッファ１１ａに一時的に格納される。そして、文字の入力が終了して、例えばリモコン１３の決定キーを押すと、ＯＳＤバッファ１１ａに格納されているＯＳＤ画像のパターン（ここでは文字）が、前述したようにランレングス圧縮処理されてサブピクチャ用のデータに変換され、変換後のパターン（文字）が図２（ｂ）に示したパターンメモリ１１ｂに保存される。なお、文字パターン作成画面８ｂを利用して繰り返し文字を入力することにより、ＯＳＤバッファ１１ａには、図２（ａ）のように複数のパターンが順次格納され、それぞれがサブピクチャ用のデータに変換されて、図２（ｂ）のようにパターンメモリ１１ｂに順次保存される。以上で、パターンの作成と保存のプロセスが終了したことになる。
【００２３】
次に、上記のようにして作成・保存したパターンを、記録映像に付加する手順につき説明する。まず、録画を開始する前に、リモコン１３（または操作部９）のキーを操作して、テレビモニタ８に図７のような画面８０を表示させる。この画面８０の下方には、映像に付加されるパターンを選択するためのパターンメニュー６１と、選択したパターンメニュー６１に対応するパターンを表示するパターン表示部６２とが表示されている。なお、６０は録画開始後に表示される映像である。パターンメニュー６１およびパターン表示部６２は、本発明の選択手段の一部を構成している。パターンメニュー６１は、パターンメモリ１１ｂに保存されている複数のパターンに対応した複数の選択キーで表示されており、いずれかのキーをリモコン１３のカーソルキーで選択すると、選択されたキーに対応するパターンがパターンメモリ１１ｂから読み出されて、パターン表示部６２に表示される。例えば、番号１のキーを選択すると、パターンメモリ１１ｂのパターン１が表示され、番号２のキーを選択すると、パターンメモリ１１ｂのパターン２が表示され、番号３のキーを選択すると、パターンメモリ１１ｂのパターン３が表示される。図７の例では、番号２のキーが選択されており、パターン表示部６２には、パターン２に相当する「運動会」の文字が表示されている。また、図８の例では、番号５のキーが選択されており、パターン表示部６２には、パターン５に相当する「結婚式」の文字が表示されている。
【００２４】
このようにして、タイトルとなるパターンがテレビモニタ８の画面８０に表示されるので、ユーザは映像に付加したいタイトルを選択した後、リモコン１３の録画キーを操作して録画を開始する。録画が開始されると、画面８０に録画中の映像６０が表示されるので、この映像６０を監視して、タイトルを挿入したい場面になったときに、リモコン１３の所定のキー（例えば決定キー）を押す。この１回目のキー操作のタイミングで、選択されたタイトルが制御部５によって信号処理部３の合成部２２（図３）へ送られ、前述したように、この合成部２２において記録画像にタイトルが付加される。合成部２２から出力される記録映像にタイトルが付加された合成映像は、ディスク読取書込部２へ与えられる。ディスク読取書込部２は、合成映像中の映像データをディスク１のビデオパックＶＰに記録するとともに、合成映像中のパターンをサブピクチャパックＳＰに記録する。このとき、サブピクチャパックＳＰには、リモコンキーが押されたタイミングを示すタイムコードも記録される。なお、合成部２２から出力される音声データは、ディスク１のオーディオパックＡＰに記録される。
【００２５】
その後、ユーザは画面８０の映像６０を監視し、タイトルの表示を終了したい場面になったときに、リモコン１３の所定のキー（例えば決定キー）を再度押す。この２回目のキー操作のタイミングで、制御部５は合成部２２へタイトルを送るのを中止する。これ以降は、エンコーダ２１からの映像と音声は合成部２２をそのまま通過して、ディスク読取書込部２へ与えられる。こうして、画面８０の映像６０を見ながら、リモコン１３のキー操作により、タイトルの表示開始時点と表示終了時点とを指定することにより、ディスク１に記録する映像に任意のタイミングでタイトルを付加することができる。したがって、このディスク１を再生した場合には、上記タイミングと同じタイミングで再生映像にタイトルが付加されて表示され、また表示が終了することとなる。また、ある場面であるタイトルを挿入した後、別の場面で別のタイトルを挿入したい場合は、そのタイトルをパターンメニュー６１で選択して、当該場面になった時点で上記と同様にリモコン１３を操作すればよい。
【００２６】
図９は、映像とタイトルの合成を具体例で説明するための図である。図９（ａ）は録画画面であって、テレビモニタ８の画面８０に、録画中の映像３１が表示されている状態を示している。図９（ｂ）は、録画開始前にあらかじめユーザが作成してパターンメモリ１１ｂに保存したパターン（タイトル）３２を示している。図９（ｃ）は再生画面であって、テレビモニタ８の画面８０に、図９（ａ）の映像３１と図９（ｂ）のパターン３２とが合成された再生映像が表示されている状態を示している。
【００２７】
上述した実施形態では、文字パターンからなるタイトルを映像に付加する例を示したが、図形パターンを映像に付加することもできる。この場合の実施形態を図１０〜図１２に基づいて説明する。
【００２８】
図５に示したパターン作成画面８ａにおいて、図形パターン用のキー５２をリモコン１３の操作により選択すると、テレビモニタ８の画面は、例えば、図１０に示すような図形パターン作成画面８ｃ、あるいは図１１に示すような図形パターン選択画面８ｄに切り替わる。図１０の画面８ｃには、図形が入力される図形入力部５４が設けられており、適宜入力手段により図形入力部５４にパターンを入力する。この場合は、ＤＶＤレコーダに描画用のアプリケーションソフトウェアが搭載されており、このソフトウェアを利用して所望のパターンを作成することができる。また、図形に加えて文字を入力することもできる。一方、図１１の画面８ｄには、複数のパターン５５があらかじめ用意されており、この中からリモコン１３のキー操作により所望のパターンを選択することができる。この場合も、文字を入力できるようにしてもよい。
【００２９】
その後の手順は、先の文字パターンの場合と基本的に同じである。すなわち、図１０または図１１の画面において入力（作成または選択）された図形は、ＯＳＤ画像として、ＯＳＤバッファ１１ａに一時的に格納され、図形の入力が終了すると、ＯＳＤバッファ１１ａに格納されているＯＳＤ画像のパターン（ここでは図形）が、ランレングス圧縮処理されてサブピクチャ用のデータに変換され、変換後のパターン（図形）がパターンメモリ１１ｂに保存される。この場合も、画面上で繰り返し図形を入力することにより、ＯＳＤバッファ１１ａには、複数のパターンが順次格納され、それぞれがサブピクチャ用のデータに変換されて、パターンメモリ１１ｂに順次保存される。
【００３０】
次に、保存したパターンを記録映像に付加する場合は、テレビモニタ８に表示される図７の画面８０において、パターンメニュー６１を選択してパターン表示部６２に図形パターンを表示させた後、ディスク１への録画を開始して画面８０の映像を監視し、パターンを挿入したい場面になったときに、リモコン１３の１回目のキー操作を行う。このタイミングで、選択された図形パターンが信号処理部３の合成部２２へ送られ、記録画像に図形パターンが付加される。合成部２２から出力される記録映像に図形パターンが付加された合成映像は、ディスク読取書込部２に与えられ、ディスク読取書込部２は、合成映像中の映像データをディスク１のビデオパックＶＰに記録するとともに、合成映像中のパターンをサブピクチャパックＳＰに記録する。このとき、サブピクチャパックＳＰには、リモコンキーの操作のタイミングを示すタイムコードも記録される。
【００３１】
その後、ユーザは画面８０の映像６０を監視し、図形パターンの表示を終了したい場面になったときに、リモコン１３の２回目のキー操作を行う。このタイミングで、合成部２２へは図形パターンが送られなくなり、以降は、エンコーダ２１からの映像と音声は合成部２２をそのまま通過して、ディスク読取書込部２へ与えられる。こうして、画面８０の映像６０を見ながら、リモコン１３のキー操作により、図形パターンの表示開始時点と表示終了時点とを指定することにより、ディスク１に記録する映像に任意のタイミングで図形パターンを付加することができる。したがって、このディスク１を再生した場合には、上記タイミングと同じタイミングで再生映像に図形パターンが付加されて表示され、また表示が終了することとなる。
【００３２】
図１２は、映像と図形パターンの合成を具体例で説明するための図である。図１２（ａ）は録画画面であって、テレビモニタ８の画面８０に、録画中の映像４１が表示されている状態を示している。図１２（ｂ）は、録画開始前にあらかじめパターンメモリ１１ｂに保存した図形パターン４２を示している。図１２（ｃ）は再生画面であって、テレビモニタ８の画面８０に、図１２（ａ）の映像４１と図１２（ｂ）の図形パターン４２とが合成された再生映像が表示されている状態を示している。
【００３３】
なお、以上述べた実施形態では、録画開始後にパターン付加のタイミングを指定することで、再生時にパターンが表示される区間を任意に設定できるようにしたが、録画開始と同時に自動的に映像にパターンが付加されるようにしてもよい。また、パターンを自動的に付加するか手動設定により付加するかを、テレビモニタ８の画面上で選択可能としてもよい。また、パターンを付加するタイミングを、録画開始時からの経過時間を入力することによって指定するようにしてもよい。さらに、再生時にパターンを表示するかしないかをテレビモニタ８の画面上で選択できるようにしてもよい。
【００３４】
図１３は、パターン登録、すなわちパターンメモリ１１ｂにパターンを保存する場合の手順を示したフローチャートであって、制御部５により実行される手順を示している。なお、この手順を実行するためのプログラムは、記憶部１０に格納されている（図示省略）。最初に、テレビモニタ画面上で文字パターンまたは図形パターンの入力を受け付け（ステップＳ１）、入力されたデータをＯＳＤバッファ１１ａへ一時的に格納する（ステップＳ２）。そして、入力が完了するのを待ち（ステップＳ３）、入力が完了すると、入力されたデータをランレングス圧縮処理してサブピクチャデータに変換し、変換データをパターンメモリ１１ｂに保存して（ステップＳ４）、処理を終了する。
【００３５】
図１４は、パターン挿入、すなわち記録映像に文字パターン、図形パターン、またはその両方を付加する場合の手順を示したフローチャートであって、制御部５により実行される手順を示している。なお、この手順を実行するためのプログラムも、記憶部１０に格納されている（図示省略）。最初に、図７に示したパターンメニューの画面をテレビモニタ８に表示し（ステップＳ１１）、この画面でパターンの選択を受け付ける（ステップＳ１２）。その後、録画が開始されると（ステップＳ１３）、パターンの選択および表示開始時点が指定されたか否かを判定し（ステップＳ１４）、判定結果がＹＥＳであれば、選択されたパターンの文字・図形のサブピクチャデータを記録映像に付加して、これらをディスク１に記録する（ステップＳ１５）。一方、ステップＳ１４の判定結果がＮＯであれば、ステップＳ１９へ移行する。
【００３６】
ステップＳ１５でディスク１への記録を行った後、表示終了時点が指定されたか否かを判定する（ステップＳ１６）。指定がなければ（ステップＳ１６：ＮＯ）、ステップＳ１７へ移って録画が終了したか否かを判定し、終了してなければ（ステップＳ１７：ＮＯ）、ステップＳ１５へ戻ってサブピクチャデータの記録映像への付加を継続する。一方、ステップＳ１６において指定があれば（ステップＳ１６：ＹＥＳ）、サブピクチャデータの記録映像への付加を終了する（ステップＳ１８）。その後、録画終了か否かを判定し（ステップＳ１９）、録画終了でなければ（ステップＳ１９：ＮＯ）、ステップＳ１４へ戻って上述した処理を繰り返す。ステップＳ１７およびステップＳ１９において、録画終了と判定されれば、処理を終了する。
【００３７】
以上述べた実施形態においては、文字や図形のパターンをＯＳＤパターンとして生成し、これをサブピクチャ用のパターンに変換して記録映像と合成し、ディスク１に記録するようにしている。このため、ＯＳＤ機能を利用して任意のタイトルや図形を簡単に入力することができるとともに、入力したパターンをサブピクチャデータに変換するだけで、タイトルや図形をそのままディスク１に記録することができるため、信号処理も簡単で済む。さらに、ＯＳＤ機能に必要なバッファ１１ａやメモリ１１ｂなどは、ＤＶＤレコーダにもともと備わっているものであり、これらを利用することでパターン生成のための特別なハードウェアが不要となって、安価に実現することができる。
【００３８】
また、ディスク１への映像記録時に、パターンを付加するタイミングを指定できるようにしたので、記録する映像の途中でパターンを挿入したい場合でも、ユーザが希望する任意のタイミングで記録映像にパターンを付加することができる。さらに、付加されるパターンの開始時点および終了時点の指定が可能なため、パターンを付加する区間を任意に設定することができる。
【００３９】
また、パターンメモリ１１ｂには複数のパターンが記憶されており、これらのパターンの中から所定のパターンを選択するだけで、所望のパターンを簡単に映像に付加することができる。この場合、テレビモニタ８の画面上にパターンメニュー６１とパターン表示部６２とが表示されるので、ユーザは、パターン表示部６２に表示されるパターンを確認しながらパターンメニュー６１のキーを選択することで、簡単かつ確実にパターンの選択を行うことができる。
【００４０】
上述した実施形態では、記録映像に付加されるパターンを１種類としたが、複数の異なるパターンを同じタイミングで記録映像に付加し、再生時にいずれかのパターンが表示されるようにしてもよい。この場合は、図７や図８において、パターンメニュー６１のキーを複数同時に選択し、選択した各パターンを所定のタイミングで同時にディスク１に記録するとともに、再生時には表示するパターンの番号を画面上で選択するようにすればよい。このようにすれば、同じ映像に付加するパターンであっても、例えば友人用と家族用とで区別したタイトルやメッセージを挿入することが可能となる。
【００４１】
また、上記実施形態においては、ＤＶＤレコーダを例に挙げたが、本発明はこれ以外の映像記録再生装置、たとえばハードディスクレコーダなどにも適用することができる。
【００４２】
【発明の効果】
以上述べたように、本発明によれば、複雑な構成を必要とせずに、記録映像にタイトルや図形等のパターンを簡単に合成して記録することが可能な映像記録再生装置を提供することができる。
【図面の簡単な説明】
【図１】ＤＶＤレコーダの一例を示したブロック図である。
【図２】ＯＳＤバッファおよびパターンメモリの内容を示したテーブルである。
【図３】記録映像に文字や図形のパターンを付加する回路の例である。
【図４】ディスクに記録されるデータ構造を階層的に示した図である。
【図５】パターン作成画面の例である。
【図６】文字パターン作成画面の例である。
【図７】パターンメニュー表示画面の例である。
【図８】パターンメニュー表示画面の例である。
【図９】映像とタイトルの合成を説明する図である。
【図１０】図形パターン作成画面の例である。
【図１１】図形パターン選択画面の例である。
【図１２】映像と図形パターンの合成を説明する図である。
【図１３】パターン登録の手順を示したフローチャートである。
【図１４】パターン挿入の手順を示したフローチャートである。
【符号の説明】
１    ディスク
２    ディスク読取書込部
３    信号処理部
５    制御部
８    テレビモニタ
９    操作部
１０  記憶部
１１ａ  ＯＳＤバッファ
１１ｂ  パターンメモリ
１３  リモコン
２２  合成部
６１  パターンメニュー
６２  パターン表示部
ＶＰ  ビデオパック
ＡＰ  オーディオパック
ＳＰ  サブピクチャパック
【図１】
2005064619.tif 000003
【図２】
2005064619.tif 000004
【図３】
2005064619.tif 000005
【図４】
2005064619.tif 000006
【図５】
2005064619.tif 000007
【図６】
2005064619.tif 000008
【図７】
2005064619.tif 000009
【図８】
2005064619.tif 000010
【図９】
2005064619.tif 000011
【図１０】
2005064619.tif 000012
【図１１】
2005064619.tif 000013
【図１２】
2005064619.tif 000014
【図１３】
2005064619.tif 000015
【図１４】
2005064619.tif 000016